【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
オーディオストリームのオーディオフレームを受信するように構成される受信機と、
デコーダであって、
前記オーディオフレームに関連付けられる第1の復号スピーチを生成することと、
帯域制限コンテンツに関連付けられると分類されるオーディオフレームのカウントと、受信アクティブフレームのカウントとに少なくとも部分的に基づいて前記デコーダの出力モードを決定することと、
前記第1の復号スピーチに基づいて第2の復号スピーチを出力することであって、前記第2の復号スピーチは、前記出力モードに従って生成される、出力することと
を行うように構成される、デコーダと
を備える、デバイス。
【請求項２】
前記デコーダは、前記オーディオフレームを狭帯域フレームまたは広帯域フレームとして分類するように構成され、狭帯域フレームの分類は、前記帯域制限コンテンツに関連付けられることに対応する、請求項1に記載のデバイス。
【請求項３】
前記出力モードが広帯域モードを含むとき、前記第2の復号スピーチは前記第1の復号スピーチに対応する、請求項1に記載のデバイス。
【請求項４】
前記出力モードが狭帯域モードを含むとき、前記第2の復号スピーチは前記第1の復号スピーチの一部分を含む、請求項1に記載のデバイス。
【請求項５】
前記デコーダは、帯域制限コンテンツに関連付けられると分類される前記オーディオフレームのカウントに関連付けられるメトリック値に基づき、かつ広帯域コンテンツに関連付けられると分類される連続するオーディオフレームの数に基づいて前記出力モードを選択するように構成される検出器を含む、請求項1に記載のデバイス。
【請求項６】
前記デコーダは、
前記オーディオフレームを広帯域コンテンツまたは前記帯域制限コンテンツに関連付けられると分類するように構成される分類器と、
前記分類器によって生成される1つまたは複数の分類のレコードを維持するように構成されるトラッカであって、バッファ、メモリ、または1つもしくは複数のカウンタのうちの少なくとも1つを含む、トラッカと
を含む、請求項1に記載のデバイス。
【請求項７】
前記受信機および前記デコーダは、モバイル通信デバイスまたは基地局に組み込まれる、請求項1に記載のデバイス。
【請求項８】
前記受信機に結合される復調器であって、前記オーディオストリームを復調するように構成される、復調器と、
前記復調器に結合されるプロセッサと、
エンコーダと
をさらに備える、請求項1に記載のデバイス。
【請求項９】
前記受信機、前記復調器、前記プロセッサ、および前記エンコーダは、モバイル通信デバイスに組み込まれる、請求項8に記載のデバイス。
【請求項１０】
前記受信機、前記復調器、前記プロセッサ、および前記エンコーダは、基地局に組み込まれる、請求項8に記載のデバイス。
【請求項１１】
前記デコーダは、帯域制限コンテンツに関連付けられると分類される前記オーディオフレームのカウントと、前記受信アクティブフレームのカウントとに基づきメトリック値を決定するようにさらに構成され、前記メトリック値は、帯域制限コンテンツに関連付けられると分類される受信アクティブフレームの割合として決定され、前記デコーダの前記出力モードは、前記メトリック値に基づいてさらに選択される、請求項1に記載のデバイス。
【請求項１２】
デコーダを動作させる方法であって、
デコーダにおいて、オーディオストリームのオーディオフレームに関連付けられる第1の復号スピーチを生成するステップと、
帯域制限コンテンツに関連付けられると分類されるオーディオフレームの数と、受信アクティブフレームのカウントとに少なくとも部分的に基づいて前記デコーダの出力モードを決定するステップと、
前記第1の復号スピーチに基づいて第2の復号スピーチを出力するステップであって、前記第2の復号スピーチは、前記出力モードに従って生成される、ステップと
を含む、方法。
【請求項１３】
前記第1の復号スピーチは低帯域成分および高帯域成分を含む、請求項12に記載の方法。
【請求項１４】
前記低帯域成分に関連付けられる第1のエネルギーメトリックおよび前記高帯域成分に関連付けられる第2のエネルギーメトリックに基づく比の値を決定するステップと、
前記比の値を分類閾値と比較するステップと、
前記比の値が前記分類閾値よりも大きいことに応答して、前記オーディオフレームを前記帯域制限コンテンツに関連付けられると分類するステップと
をさらに含む、請求項13に記載の方法。
【請求項１５】
前記オーディオフレームが前記帯域制限コンテンツに関連付けられるとき、前記第2の復号スピーチを生成するために前記第1の復号スピーチの前記高帯域成分を減衰させるステップをさらに含む、請求項14に記載の方法。
【請求項１６】
前記オーディオフレームが前記帯域制限コンテンツに関連付けられるとき、前記第2の復号スピーチを生成するために前記高帯域成分に関連付けられる1つまたは複数の帯域のエネルギー値をゼロに設定するステップをさらに含む、請求項14に記載の方法。
【請求項１７】
前記第1の復号スピーチの低帯域成分に関連付けられる複数の周波数帯域の第1のセットに関連付けられる第1のエネルギーメトリックを決定するステップをさらに含む、請求項12に記載の方法。
【請求項１８】
前記第1のエネルギーメトリックを決定するステップは、前記複数の周波数帯域の第1のセットの帯域のサブセットの平均エネルギー値を決定するステップと、前記第1のエネルギーメトリックを前記平均エネルギー値に等しく設定するステップとを含む、請求項17に記載の方法。
【請求項１９】
前記第1の復号スピーチの高帯域成分に関連付けられる複数の周波数帯域の第2のセットに関連付けられる第2のエネルギーメトリックを決定するステップをさらに含む、請求項17に記載の方法。
【請求項２０】
前記複数の周波数帯域の第2のセットの最高の検出エネルギー値を有する前記複数の周波数帯域の第2のセットの特定の周波数帯域を決定するステップと、
前記第2のエネルギーメトリックを前記最高の検出エネルギー値に等しく設定するステップと
をさらに含む、請求項19に記載の方法。
【請求項２１】
前記第1のセットおよび前記第2のセットは相互に排他的であり、前記複数の周波数帯域の第2のセットの各帯域は同じ帯域幅を有する、請求項19に記載の方法。
【請求項２２】
前記第1のセットおよび前記第2のセットは、前記オーディオフレームに関連付けられる周波数範囲の遷移帯域によって分離される、請求項21に記載の方法。
【請求項２３】
前記出力モードが広帯域モードを含むとき、前記第2の復号スピーチは実質的に前記第1の復号スピーチと同じである、請求項12に記載の方法。
【請求項２４】
前記出力モードが狭帯域モードを含むとき、前記第2の復号スピーチを生成するために、前記第1の復号スピーチの低帯域成分を維持し、かつ前記第1の復号スピーチの高帯域成分を減衰させるステップをさらに含む、請求項12に記載の方法。
【請求項２５】
前記出力モードが狭帯域モードを含むとき、前記第2の復号スピーチを生成するために、前記第1の復号スピーチの高帯域成分に関連付けられる周波数帯域の1つまたは複数のエネルギー値を減衰させるステップをさらに含む、請求項12に記載の方法。
【請求項２６】
前記オーディオフレームがアクティブフレームであるかどうかを判定するステップであって、前記デコーダの前記出力モードを決定するステップは、前記オーディオフレームが前記アクティブフレームであるという判定に応答して実施される、ステップを含む、請求項12に記載の方法。
【請求項２７】
前記デコーダにおいて前記オーディオストリームの第2のオーディオフレームを受信するステップと、
前記第2のオーディオフレームが非アクティブフレームであるかどうかを判定するステップと、
前記第2のオーディオフレームが前記非アクティブフレームであるという判定に応答して、前記デコーダの前記出力モードを維持するステップと
をさらに含む、請求項12に記載の方法。
【請求項２８】
前記デコーダにおいて前記オーディオストリームの複数のオーディオフレームを受信するステップであって、前記複数のオーディオフレームは、前記オーディオフレームおよび第2のオーディオフレームを含む、ステップと、
前記デコーダにおいて、前記第2のオーディオフレームの受信に応答して、前記帯域制限コンテンツに関連付けられる前記複数のオーディオフレームの相対オーディオフレームカウントに対応するメトリック値を決定するステップと、
前記デコーダの前記出力モードの第1のモードに基づいて閾値を選択するステップであって、前記第1のモードは、前記第2のオーディオフレームの前に受信される前記オーディオフレームに関連付けられる、ステップと、
前記メトリック値と前記閾値との比較に基づいて前記出力モードを前記第1のモードから第2のモードへと更新するステップであって、前記第2のモードは前記第2のオーディオフレームに関連付けられる、ステップと
をさらに含む、請求項12に記載の方法。
【請求項２９】
前記メトリック値は、帯域制限コンテンツに関連付けられると分類される前記複数のオーディオフレームの割合として決定され、前記閾値は、第1の値を有する広帯域閾値または第2の値を有する狭帯域閾値として選択され、前記第1の値は前記第2の値よりも大きい、請求項28に記載の方法。
【請求項３０】
前記第1のモードは広帯域モードを含み、前記方法は、
前記閾値を選択する前に、前記出力モードが前記広帯域モードであることを判定するステップと、
前記出力モードが前記広帯域モードであるという判定に応答して、前記閾値として広帯域閾値を選択するステップと
をさらに含む、請求項28に記載の方法。
【請求項３１】
前記メトリック値が前記広帯域閾値以上であるとき、前記出力モードは狭帯域モードに更新される、請求項30に記載の方法。
【請求項３２】
前記第1のモードは狭帯域モードを含み、前記方法は、
前記閾値を選択する前に、前記出力モードが前記狭帯域モードであることを判定するステップと、
前記出力モードが前記狭帯域モードであるという判定に応答して、前記閾値として狭帯域閾値を選択するステップと
をさらに含む、請求項28に記載の方法。
【請求項３３】
前記メトリック値が前記狭帯域閾値以下であるとき、前記出力モードは広帯域モードに更新される、請求項32に記載の方法。
【請求項３４】
前記メトリック値を決定する前に、
前記第2のオーディオフレームがアクティブフレームであることを判定するステップと、
前記第2のオーディオフレームの低帯域成分に関連付けられる平均エネルギー値を決定するステップと、
前記平均エネルギー値がエネルギー閾値よりも大きいという判定に応答して、かつ前記第2のオーディオフレームが前記アクティブフレームであるという判定に応答して、前記メトリック値を第1の値から第2の値へと更新するステップであって、前記第2のオーディオフレームの前記受信に応答して前記メトリック値を決定するステップは、前記第2の値を識別するステップを含む、ステップと
をさらに含む、請求項28に記載の方法。
【請求項３５】
前記第2のオーディオフレームの前記低帯域成分に関連付けられる前記平均エネルギー値は、前記第2のオーディオフレームの前記低帯域成分の帯域のサブセットに関連付けられる特定の平均エネルギーを含む、請求項34に記載の方法。
【請求項３６】
前記エネルギー閾値は長期的メトリックであり、前記エネルギー閾値は前記複数のオーディオフレームの低帯域成分に関連付けられる平均エネルギー値の平均である、請求項34に記載の方法。
【請求項３７】
前記メトリック値を決定する前に、
前記第2のオーディオフレームがアクティブフレームであることを判定するステップと、
前記第2のオーディオフレームの低帯域成分に関連付けられる平均エネルギー値を決定するステップと、
前記平均エネルギー値がエネルギー閾値以下という判定に応答して、かつ前記第2のオーディオフレームが前記アクティブフレームであるという判定に応答して、前記メトリック値を維持するステップと
をさらに含む、請求項28に記載の方法。
【請求項３８】
アクティブフレームとして示される前記複数のオーディオフレームのうちの少なくとも1つのオーディオフレームについて、前記デコーダにおいて前記少なくとも1つのオーディオフレームが前記帯域制限コンテンツに関連付けられるかどうかを判定するステップをさらに含む、請求項28に記載の方法。
【請求項３９】
前記デコーダにおいて、帯域制限コンテンツに関連付けられると分類される前記オーディオフレームの数に対応するメトリック値を決定するステップと、
前記デコーダの以前の出力モードに基づいて閾値を選択するステップであって、前記デコーダの前記出力モードを決定するステップは、前記メトリック値と前記閾値との比較にさらに基づく、ステップと
をさらに含む、請求項12に記載の方法。
【請求項４０】
前記デコーダにおいて前記オーディオストリームの第2のオーディオフレームを受信するステップと、
前記デコーダにおいて受信され、かつ広帯域コンテンツに関連付けられると分類される、前記第2のオーディオフレームを含む連続するオーディオフレームの数を決定するステップと、
前記連続するオーディオフレームの数が閾値以上であることに応答して、前記第2のオーディオフレームに関連付けられる第2の出力モードを広帯域モードであると選択するステップと
をさらに含む、請求項12に記載の方法。
【請求項４１】
前記第2のオーディオフレームの受信に応答して、
前記第2のオーディオフレームがアクティブフレームであることを判定するステップと、
受信オーディオフレームのカウントを増分するステップと、
前記第2のオーディオフレームの分類を広帯域フレームまたは狭帯域フレームとして決定するステップと
をさらに含む、請求項40に記載の方法。
【請求項４２】
前記受信アクティブフレームのカウントが第2の閾値以上であるかどうかを判定するステップであって、前記第2のオーディオフレームの前記分類が決定した後に前記連続するオーディオフレームの数が決定される、ステップをさらに含む、請求項41に記載の方法。
【請求項４３】
前記受信アクティブフレームのカウントが前記第2の閾値未満であるという判定に応答して、前記第2のオーディオフレームに関連付けられる前記出力モードを前記広帯域モードであると判定するステップをさらに含む、請求項42に記載の方法。
【請求項４４】
前記第2の出力モードを選択するステップは、前記第2のオーディオフレームに関連付けられる前記出力モードを第1のモードから前記広帯域モードへと更新するステップを含み、前記出力モードが前記第1のモードから前記広帯域モードへと更新されるのに応答して、受信オーディオフレームのカウントを第1の初期値に設定すること、帯域制限コンテンツに関連付けられる前記オーディオストリームのオーディオフレームの相対カウントに対応するメトリック値を第2の初期値に設定すること、またはその両方を行うステップをさらに含む、請求項40に記載の方法。
【請求項４５】
前記デコーダにおいて受信され、かつ広帯域コンテンツに関連付けられると分類される、前記オーディオフレームを含む連続するオーディオフレームの数を決定するステップをさらに含み、前記デコーダの前記出力モードを決定することは、前記連続するオーディオフレームの数と閾値との比較にさらに基づく、請求項12に記載の方法。
【請求項４６】
前記デコーダは、モバイル通信デバイスまたは基地局を含むデバイスに含まれる、請求項12に記載の方法。
【請求項４７】
比の値に基づいて前記帯域制限コンテンツに関連付けられると前記オーディオフレームを分類するステップであって、前記比の値は、前記第1の復号スピーチの低帯域成分に関連付けられる第1のエネルギーメトリックと、前記第1の復号スピーチの高帯域成分に関連付けられる第2のエネルギーメトリックとに基づく、請求項12に記載の方法。
【請求項４８】
オーディオストリームのオーディオフレームに関連付けられる第1の復号スピーチを生成するための手段と、
帯域制限コンテンツに関連付けられると分類されるオーディオフレームの数と、受信アクティブフレームのカウントとに少なくとも部分的に基づいてデコーダの出力モードを決定するための手段と、
前記第1の復号スピーチに基づいて第2の復号スピーチを出力するための手段であって、前記第2の復号スピーチは、前記出力モードに従って生成される、手段と
を備える、装置。
【請求項４９】
第1の復号スピーチを前記生成するための手段はスピーチモデルを含み、出力モードを前記決定するための手段および第2の復号スピーチを前記出力するための手段は各々、プロセッサおよび前記プロセッサによって実行可能な命令を記憶するメモリを含む、請求項48に記載の装置。
【請求項５０】
前記帯域制限コンテンツに関連付けられる複数のオーディオフレームのオーディオフレームカウントに対応するメトリック値を決定するための手段と、
前記メトリック値に基づいて閾値を選択するための手段と、
前記メトリック値と前記閾値との比較に基づいて前記出力モードを第1のモードから第2のモードへと更新するための手段と
をさらに備える、請求項48に記載の装置。
【請求項５１】
前記第1の復号スピーチを前記生成するための手段において受信され、広帯域コンテンツに関連付けられると分類される、連続するオーディオフレームの数を決定するための手段をさらに備える、請求項48に記載の装置。
【請求項５２】
前記生成するための手段、前記決定するための手段、および前記出力するための手段はモバイル通信デバイスまたは基地局に組み込まれる、請求項48に記載の装置。
【請求項５３】
プロセッサによって実行されると、前記プロセッサに、
オーディオストリームのオーディオフレームに関連付けられる第1の復号スピーチを生成するステップと、
帯域制限コンテンツに関連付けられると分類されるオーディオフレームのカウントと、受信アクティブフレームのカウントとに少なくとも部分的に基づいてデコーダの出力モードを決定するステップと、
前記第1の復号スピーチに基づいて第2の復号スピーチを出力するステップであって、前記第2の復号スピーチは前記出力モードに従って生成される、ステップと
を含む動作を実施させる命令を記憶する、コンピュータ可読記憶デバイス。
【請求項５４】
前記命令は、前記プロセッサに、
前記オーディオフレームに関連付けられる周波数範囲の第1の部分範囲に関連付けられる第1のエネルギーメトリックを決定するステップと、
前記周波数範囲の第2の部分範囲に関連付けられる第2のエネルギーメトリックを決定するステップと、
前記第1のエネルギーメトリックおよび前記第2のエネルギーメトリックに基づいて、前記オーディオフレームを狭帯域フレームに関連付けられると分類すべきかまたは広帯域フレームに関連付けられると分類すべきかを判定するステップと
をさらに含む動作を実施させる、請求項53に記載のコンピュータ可読記憶デバイス。
【請求項５５】
前記命令は、前記プロセッサに、
前記オーディオフレームを狭帯域フレームまたは広帯域フレームとして分類するステップと、
前記帯域制限コンテンツに関連付けられる複数のオーディオフレームの第2のオーディオフレームカウントに対応するメトリック値を決定するステップと、
前記メトリック値に基づいて閾値を選択するステップと
をさらに含む動作を実施させる、請求項53に記載のコンピュータ可読記憶デバイス。
【請求項５６】
前記命令は、前記プロセッサに、
前記オーディオストリームの第2のオーディオフレームの受信に応答して、広帯域コンテンツを有すると分類される、前記デコーダにおいて受信される連続するオーディオフレームの第3のカウントを決定するステップと、
前記連続するオーディオフレームの第3のカウントが閾値以上であるのに応答して、前記出力モードを広帯域モードに更新するステップと
をさらに含む動作を実施させる、請求項53に記載のコンピュータ可読記憶デバイス。